(57)【要約】【課題】天板から下方に滴り落ちる水がその内側に回り込むことを防止できる。【解決手段】流し台１２は、シンクを設けた天板１４とその下部に設けたキャビネット１３とを備える。天板１４の裏面側に補強板２０を設けた。補強板２０の下部前側に前見付け部２１を固定した。前見付け部２１の下側に鏡板２２を設け、その内側にキャビネット１３を設けた。天板１４は周縁部に水返しを設けず平板状とした。天板１４の周縁部から折り曲げて下方に延びる前面部２４ａと、前面部２４ａの下端部２４ｃから天板１４方向に折り曲げた立ち上がり部２４ｂとを設けて折り返し部２４を形成した。折り返し部２４の折り曲げ角は鋭角に設定した。折り返し部２４の下端部２４ｃよりも内側に引っ込んだ位置にキャビネット１３を配設した。【選択図】図２
2016101328.tif 000002
【特許請求の範囲】
【請求項１】
天板と、
前記天板の周縁部から下方に延びる前面部と、
該前面部の下端部から前記天板方向に折り曲げられた立ち上がり部とを備え、
前記前面部と立ち上がり部とからなる折り返し部の折り曲げ角は鋭角に設定されていることを特徴とする流し台。
【請求項２】
前記折り返し部の下端部よりも内側に引っ込んだ位置に前記流し台のキャビネットが配設されている請求項１に記載された流し台。
【請求項３】
一の前記折り返し部の前面部に対してコーナー部を挟んで他の折り返し部が設けられ、該他の折り返し部は前記コーナー部に接続した側面部の下端部から前記天板方向に鋭角を以て折り曲げられた立ち上がり部を有しており、
両方の前記折り返し部の立ち上がり部は少なくとも一方に切除部を設けて互いの立ち上がり部同士が干渉しないように配設した請求項１または２に記載された流し台。
【請求項４】
前記コーナー部において、前記前面部と側面部の一方または両方の端部に前記前面部と側面部を接続する断面円弧状のコーナー片を有しており、前記前面部の立ち上がり部と前記側面部の立ち上がり部は前記コーナー片を除いて形成されている請求項３に記載された流し台。
【発明の詳細な説明】
【技術分野】
【０００１】
本発明は、天板上で調理や調理器具の洗浄等の可能な流し台に関する。
【背景技術】
【０００２】
従来、調理や調理器具の洗浄等を行ったりする流し台の天板として、例えば図８に示すものが用いられている。図８に示す流し台１は、天板２から側面にシンク３等の水が流れ落ちることを防止するために水返し５という凸部が周縁部に形成されている。
【０００３】
流し台１には天板２の下側にキャビネット７が設置され、水返し５の下部には前框４が配設され、前框４の下側に前見付け部６が固定されている。そして、天板２に設けたステンレス板８は水返し５から下方に湾曲して前框４上を下方に延びる垂下面８ａが形成され、更に前見付け部６に向けて略直角に折り曲げられて前框４と前見付け部６を覆った後、更に上方に折り曲げられた内向き部８ｂが前見付け部６の前面に固定されている。特許文献１に記載された流し台も同様な構成を有している。このような流し台１では、天板２上の水は水返し５によって天板２からこぼれ落ちないようになっている。
【先行技術文献】
【特許文献】
【０００４】
【特許文献１】特開平１１−１１３６６３号公報
【発明の概要】
【発明が解決しようとする課題】
【０００５】
しかしながら、上述した図８や特許文献１等による流し台では、天板２に多量の水が流れると水返し５を乗り越えて前框４の垂下面８ａに滴ってしまう。しかも、ステンレス板８は垂下面８ａから内向き部８ｂに向けて略直角に湾曲しているため、水が垂下面８ａから内向き部８ｂに回り込んでしまう。
すると、水が前框４の内側に位置する鏡板９や前見付け部６やキャビネット７側に回り込んでしまい、木製の前見付け部６が水を含んで膨れたり、鏡板９やキャビネット７等に水がかかって汚れる等の不具合が発生していた。
また、天板２の周縁部に水返し５を形成することは、まな板等の調理器具等が乗り上げるために使い勝手が悪く、流し台１の意匠性を損なうという欠点もあった。
【０００６】
本発明は、このような課題に鑑みてなされたものであって、天板から下方に滴り落ちる水がその内側に回り込むことを防止できるようにした流し台を提供することを目的とする。
【課題を解決するための手段】
【０００７】
本発明による流し台は、天板と、天板の周縁部から下方に延びる前面部と、前面部の下端部から天板方向に折り曲げられた立ち上がり部とを備え、前面部と立ち上がり部とからなる折り返し部の折り曲げ角は鋭角に設定されていることを特徴とする。
本発明によれば、天板にこぼれた水は天板の周縁部から前面部を下方に滴り落ちて、立ち上がり部との間の折り返し部の下端部から下方に滴り落ちることになり、折り返し部の折り曲げ角が鋭角であるために、前面部を滴り落ちる水が内側に回り込んでキャビネットや鏡板等の内側部材に水が付着して汚れたり膨張したりすることを防止できる。
【０００８】
また、折り返し部の下端部よりも内側に引っ込んだ位置に流し台のキャビネットが配設されていることが好ましい。
折り返し部の下端部よりも内側に流し台のキャビネットが設けられているために、キャビネットや鏡板等に水が付着して汚れたり膨張したりすることを防止できる。
【０００９】
また、一の折り返し部の前面部に対してコーナー部を挟んで他の折り返し部が設けられ、他の折り返し部はコーナー部に連結した側面部の下端部から前記天板方向に鋭角を以て折り曲げられた立ち上がり部を有しており、両方の折り返し部の立ち上がり部は少なくとも一方に切除部を設けて互いの立ち上がり部同士が干渉しないように配設したことが好ましい。
天板の側面のコーナー部において、一の折り返し部の前面部と他の折り返し部の側面部に鋭角で設けた立ち上がり部同士について、少なくとも一方の立ち上がり部に切除部を設けたので干渉を防止できて、前面部と側面部のいずれに水が滴っても各折り返し部の下端部から水が内側に回り込むことなく、落下させることができる。
【００１０】
また、コーナー部において、前面部と側面部の一方または両方の端部に前面部と側面部を接続する断面円弧状のコーナー片を有しており、前面部の立ち上がり部と側面部の立ち上がり部はコーナー片を除いて形成されていてもよい。
前面部や側面部の断面円弧状のコーナー片に立ち上がり部を設けないため、両方の折り返し部の立ち上がり部を精度良く形成できてコーナー部を挟んで取り付けでき、下端部からの水の落下を妨げない。
【発明の効果】
【００１１】
本発明による流し台によれば、天板の周縁部から下方に延びる前面部の下端部から立ち上がり部を鋭角で折り曲げた折り返し部を設けたため、天板上の水が前面部に流れ落ちても折り返し部の下端部から確実に下方に滴り落ちることになり、天板の内側に設けたキャビネットや鏡板等の内側部材に水が回り込むことを防止でき、水の付着による汚れや膨張等を抑制できる。
【００１２】
また、本発明による流し台は、前面部と側面部との間のコーナー部では、各折り返し部の立ち上がり部の少なくとも一方に切除部を形成したため、立ち上がり部同士を互いに干渉することなく配設することができ、天板を流れる水が前面部と側面部のどちらに流れたとしても折り返し部の下端部から確実に下方に滴り落とすことができ、キャビネット等の天板の内側部材に水が回り込むことを防止できて、これらの内側部材の汚れや吸水による膨張等を抑制できる。
【図面の簡単な説明】
【００１３】
【図１】本発明の実施形態による流し台の要部斜視図である。
【図２】図１に示す流し台の天板部分のＡ−Ａ線拡大縦断面図である。
【図３】実施形態による流し台の天板部分のコーナー部の側部を示す要部斜視図である。
【図４】（ａ）は図３に示す前面部の折り返し部を示す要部斜視図、（ｂ）は同じく側面部の折り返し部を示す要部斜視図である。
【図５】実施形態による流し台の天板部分のコーナー部の側部を下方から見た斜視図である。
【図６】本発明の第一変形例による流し台の天板部分の要部縦断面図である。
【図７】第二変形例による側面部の折り返し部を示す要部斜視図である。
【図８】従来技術による流し台の天板部分の要部断面図である。
【発明を実施するための形態】
【００１４】
以下、本発明の実施形態による流し台を図１乃至図５に基づいて説明する。
図１に示す実施形態による流し台１２は、例えば箱形のキャビネット１３の上部に天板（カウンター）１４を備えたものである。天板１４は例えばステンレス板からなるトップ面を有しており、その一部領域には調理器具等を洗うための凹部形状のシンク１５を備え、シンク１５の近傍には図示しない水栓を取り付けている。天板１４の奥側（背面側）には上方に起立するバックガード１６が形成されている。
【００１５】
また、流し台１２において、天板１４のバックガード１６に対向する位置で作業者が立って調理や洗浄等の作業を行う側の面を前面とし、その両側を側面とする。キャビネット１３の前面には開閉可能な扉１７ａを備えた前部１７が配設され、前部１７の両側部に一対の側部１８が設けられている。図１に示す例では、天板１４は対向する前面側と背面側が長辺、両側面側が短辺をなす長方形板状を有している。
【００１６】
図２は図１に示す流し台１２の天板１４部分のＡ−Ａ線拡大断面を示すものである。天板１４の裏面側には例えば木板からなる補強板２０が配設されている。補強板２０の下部にはキャビネット１３の前側に位置する前見付け部２１が固定されている。そして、前見付け部２１の下方にはキャビネット１３の前部１７で扉１７ａの上部に固定された鏡板２２が固定されている。
【００１７】
図１及び図２に示すように、天板１４はステンレス製の平面状に形成されており、その周縁部に凸部状の水返しは設けられていない。そして、天板１４の前面側の長辺の縁部から、補強板２０上で下方に折り曲げられて略垂直に垂下する前面部２４ａと、前面部２４ａの下端部２４ｃが小径の断面略円弧状に湾曲してキャビネット１３側に折り曲げられて前見付け部２１に延びる立ち上がり部２４ｂとが形成されている。
【００１８】
これら前面部２４ａと立ち上がり部２４ｂは断面略Ｖ字状をなすように鋭角αに折り曲げられた折り返し部２４を構成する。折り返し部２４の下端部２４ｃは鏡板２２の上方の前方に位置している。そのため、天板１４にこぼれた水は周縁部に水返しがないため、折り返し部２４の前面部２４ａを伝わって下方に流れ、下端部２４ｃから立ち上がり部２４ｂや鏡板２２側に回り込むことなく滴下する。
図２に示すように、折り返し部２４において、前面部２４ａと立ち上がり部２４ｂの挟角αは、前面部２４ａを垂下する水の回り込みを防ぐために、好ましくは４５°以下の鋭角に設定されている。
【００１９】
また、天板１４の製造に際しては、ステンレス板を平面状の天板１４の奥側で上方に折り曲げてバックガード１６を形成すると共に、天板１４の前縁部から下方に略直角に折り曲げて前面部２４ａから折り返し部２４の立ち上がり部２４ｂまで曲げ加工によって一体に形成している。そのため、図３及び図４（ａ）に示すように、折り返し部２４は天板１４の長辺全長に沿って連続して形成されている。
【００２０】
そして、図３に示す天板１４のコーナー部１４ａを形成する両側面には、折り返し部２４の前面部２４ａに隣接して側面側の折り返し部２６(以下、側面折り返し部２６という)が取り付けられている。側面折り返し部２６は前面の折り返し部２４と概略同一形状を有しており、図４（ｂ）に示すように、側面部２６ａと立ち上がり部２６ｂとが前面部２４ａの折り返し部２４の挟角αと同様に４５°以下の鋭角で折り曲げて形成され、その下端部２６ｃは小径の略円弧状に形成されている。
そのため、前面部２４ａと側面部２６ａとの間に例えば断面約１／４円弧の円筒周面形状をなすコーナー部２３が形成されている。
【００２１】
また、コーナー部２３を挟む前面側の折り返し部２４と側面折り返し部２６とは図４（ａ）、（ｂ）に示す構成を有している。
即ち、図４（ａ）において、コーナー部２３が例えば断面約１／４円弧形状であるとして、前面側の折り返し部２４における前面部２４ａの側縁から例えば断面約１／８円弧形状のコーナー片２４ｄが突出して形成されている。コーナー片２４ｄは断面円弧状であるため、立ち上がり部２４ｂはコーナー片２４ｄに形成されず、前面部２４ａの下端から略直角の切欠２８を介して拡幅してコーナー片２４ｄまで延びている。
【００２２】
同様に、図４（ｂ）において、側面折り返し部２６における側面部２６ａの下端から例えば断面約１/８円弧形状のコーナー片２６ｄが突出して形成されている。立ち上がり部２６ｂはコーナー片２６ｄには直接形成されず、側面部２６ａの下端から略直角の切欠２８を介してコーナー片２４ｄまで拡幅して形成されている。しかも、側面折り返し部２６の立ち上がり部２６ｂはその先端角部が二点鎖線で図示するように斜めに切除された切除部２６ｅを形成している。
また、側面折り返し部２６は側面部２６ａが天板１４に溶接され、コーナー片２６ｄが前面側の折り返し部２４のコーナー片２４ｄと溶接されて一体に固定されている。その際、前面側の折り返し部２４の立ち上がり部２４ｂに対して側面折り返し部２６の立ち上がり部２６ｂに切除部２６ｅが形成されているため、互いに干渉することなく当接または非接触で固定できる。
【００２３】
本実施形態による流し台１２は上述の構成を備えており、次にその作用を説明する。
流し台１２における水の使用時に水が天板１４上にこぼれた場合、天板１４の周縁部に水返しの凸部が形成されていないため、天板１４の周縁部から零れると、折り返し部２４の前面部２４ａを下方に滴り落ちる。
【００２４】
水が前面部２４ａから折り返し部２４の下端部２４ｃに落下した際、下端部２４ｃは小径の円弧状の折れ曲がり部であり、しかも前面部２４ａと立ち上がり部２４ｂとの折り曲げ角度αは鋭角に設定されているために、水が内側の前見付け部２１やキャビネット１３や鏡板２２等に回り込むことなく、下端部２４ｃから落下する。なお、天板１４の水が側面の折り返し部２６の側面図２６ａに滴り落ちた場合にも同様に内側に回り込むことなく下端部２６ｃから下方に落下する。
【００２５】
また、天板１４のコーナー部１４ａから水がこぼれた場合、各前面部２４ａ及び側面部２６ａの間のコーナー部２３は各折り返し部２４，２６のコーナー片２４ｄ、２６ｄ同士が互いに溶接されているため、コーナー片２４ｄ、２６ｄに沿って下方に滴り落ちる。コーナー片２４ｄ、２６ｄの下端部には折り返した立ち上がり部が形成されておらず、内側に回り込むことなくそのまま下方に落下する。
【００２６】
上述のように本実施形態による流し台１２によれば、天板１４の周縁部に水返しを設けずに平坦に形成し、天板１４に続いて前面部２４ａと立ち上り部２４ｂを鋭角αに折り曲げた折り返し部２４を設けたため、天板１４上から水が前面部２４ａに流れ落ちても折り返し部２４の下端部２４ｃから下方に落とすことができる。そのため、水が折り返し部２４から流し台１２の内側の前見付け部２１や鏡板２２、そしてキャビネット１３等に回り込むことを防止でき、これらに水が付着して汚れや膨張等の不具合が生じることを防止できる。
しかも、天板１４に水返しの凸部を設けないことで流し台１２の天板１４の外観上の見栄えが良い上に、調理器具等が乗り上げることなく作業がし易い。
【００２７】
また、本実施形態による流し台１２は、折り返し部２４、２６の前面部２４ａと側面部２６ａとの間のコーナー部２３でコーナー片２４ｄ、２６ｄを連結すると共に、側面折り返し部２６の立ち上がり部２６ｂの一部を切除して切除部２６ｅを形成したため、互いに交差する方向に傾斜する立ち上がり部２４ｂ、２６ｂ同士の干渉を防止できる。
しかも、天板１４の前面部２４ａだけでなく側面部２６ａやコーナー部２３においても天板１４から落下する水を折り返し部２４，２６から内側に回り込ませることなく落下できる。
【００２８】
なお、本発明による流し台１２は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００２９】
図６は本発明の第一変形例による流し台１２の折り返し部２４Ａを示すものである。図６において、天板１４に接続されて補強板２０の前側を垂下する前面部２４ａに対して略円弧状の下端部２４ｃから約３６０度近く折り曲げて前面部２４ａとの角度αが略０度または近傍の鋭角になるように立ち上がり部２４ｆを折り曲げて、折り返し部２４Ａを形成した。そして、折り返し部２４Ａは、立ち上がり部２４ｆの先端から水平方向に向けて略９０度折り曲げた延在部２４ｇを形成して、延在部２４ｇを前見付け部２１の下面に当接させて固定した。
【００３０】
本第一変形例による折り返し部２４Ａにおいても、天板１４から折り返し部２４Ａの前面部２４ａに流れた水は下端部２４ｃで落下し、内側の前見付け部２１や鏡板２２やキャビネット１３方向に水が回り込むことを一層防止できる。
本第一変形例による折り返し部２４Ａでは、天板１４の折り返し部２４Ａの折り曲げ加工工程において延在部２４ｇを製造する分だけ一工程増えるが、上述した実施形態より一層確実に折り返し部２４Ａの下端部２４ｃから下方に水を落下できる。
【００３１】
図７は本発明の第二変形例による側面折り返し部２６Ａを示すものである。本変形例では、折り返し部２４の前面部２４ａに連結したコーナー片２４ｄを、コーナー部２３の円弧状部と同様に断面約１/４円弧状の円筒周面形状に形成した。そして、側面に取り付ける折り返し部２６Ａとして、コーナー片２６ｄのない平板状の側面部２６ａと断面小円弧状の下端部２６ｃと切除部２６ｅを形成した立ち上がり部２６ｂとを備えたものである。
本第二変形例によれば、側面折り返し部２６Ａは、コーナー部２３におけるコーナー片２４ｄとコーナー片２６ｄとの位置合わせは必要なく、平板状の側面図２６ａを天板１４の側面に取り付けて溶接等で固定すればよい。あるいはコーナー片２４ｄに代えて、側面部２６ａに断面約１/４円弧状の円筒周面形状のコーナー片２６ｄを形成してもよい。
【００３２】
また、上述した実施形態では、立ち上がり部２４ｂ、２６ｂ同士の干渉を防ぐために、側面折り返し部２６の立ち上がり部２６ｂに切除部２６ｅを形成したが、これとは逆に前面の折り返し部２４の立ち上がり部２４ｂに切除部を形成してもよいし、両方の立ち上がり部２４ｂ、２６ｂに切除部をそれぞれ形成してもよい。いずれの場合でも、折り返し部２４、２６を各立ち上がり部２４ｂ、２６ｂ同士が干渉することなく装着できる。
【００３３】
なお、本発明において、各折り返し部２４、２６における前面部２４ａと側面部２６ａという名称は説明のための便宜的なものにすぎない。そのため、側面部２６ａを前面部とし、前面部２４ａを側面部としてもよい。
また、本実施形態による流し台１２は奥側に備えたバックガード１６を壁面に当接させたタイプのものであるが、本発明はアイランド型やペニンシュラ型等、適宜のタイプの流し台に適用できることはいうまでもない。
【符号の説明】
【００３４】
１２  流し台
１３  キャビネット
１４  天板  
２１  前見付け部
２２  鏡板
２３  コーナー部
２４，２４Ａ  折り返し部
２４ａ  前面部
２４ｂ、２６ｂ、２４ｆ  立ち上がり部
２４ｃ、２６ｃ  下端部
２４ｄ、２６ｄ  コーナー片
２６，２６Ａ  側面折り返し部
２６ａ  側面部
【図１】
2016101328.tif 000003
【図２】
2016101328.tif 000004
【図３】
2016101328.tif 000005
【図４】
2016101328.tif 000006
【図５】
2016101328.tif 000007
【図６】
2016101328.tif 000008
【図７】
2016101328.tif 000009
【図８】
2016101328.tif 000010